(57)【要約】【課題】スクリーンやシャッターのような別個の遮煙設備を要することなく、安価にかつエレベータホールのスペースを狭めることなく、ドア装置自体で火災発生時にエレベータ乗降部の隙間を的確に密閉して遮煙することができ、さらに火災鎮火後の復旧も速やかに能率よく達成することができるエレベータのドア装置を提供する。【解決手段】エレベータホール１のドアパネル１２をパネル本体１３と、このパネル本体１３の表面に接離する表面パネル１４とで構成し、この表面パネル１４をパネル本体１３の表面に係止し、火災発生時の煙感知器の信号に基づいて、その係止を解除するとともに、表面パネル１４をパネル本体１３の表面から離間する方向に移動させて三方枠３および敷居１９に接触させ、その接触で三方枠３および敷居１９とドアパネル１２との間の隙間を密閉し、遮煙する。【選択図】    図８
2005145591.tif 000002
【特許請求の範囲】
【請求項１】
建屋のエレベータホールと昇降路との間の乗降部に設けられた出入口部材と、
この出入口部材に近接して配置されて前記乗降部を開閉するドアパネルとを備え、
前記ドアパネルは、
パネル本体と、
このパネル本体の表面に接離可能に設けられた表面パネルと、
この表面パネルを前記パネル本体の表面に係止する係止手段と、
火災等の発生に応じて前記係止手段による前記表面パネルの係止を解除するとともに、その表面パネルを前記パネル本体の表面から離間する方向に移動させて前記出入口部材に接触させ、その接触で前記出入口部材と前記ドアパネルとの間の隙間を密閉する表面パネル移動手段と、
を有することを特徴とするエレベータのドア装置。
【請求項２】
前記出入口部材は、門形の三方枠と、この三方枠の背面側下部に設けられたドアパネルガイド用の敷居とを有し、前記表面パネルが前記パネル本体の表面から離間する方向に移動した際に、その表面パネルが前記三方枠の背面と前記敷居の上面とにそれぞれ接触することを特徴とする請求項１に記載のエレベータのドア装置。
【請求項３】
前記表面パネルは、前記三方枠の背面と前記敷居の上面とにそれぞれ弾性材からなるパッキングを介して接触することを特徴とする請求項２に記載のエレベータのドア装置。
【請求項４】
前記表面パネルが前記出入口部材に接触する状態からその表面パネルを前記パネル本体に接触する当初の状態に復帰させる復旧作業は、前記エレベータホール側からも昇降路側からでも可能となっていることを特徴とする請求項１乃至３のいずれかに記載のエレベータのドア装置。
【請求項５】
前記復旧作業は、前記ドアパネルを戸開方向に移動させる動作により達成が可能となっていることを特徴とする請求項４に記載のエレベータのドア装置。
【発明の詳細な説明】
【技術分野】
【０００１】
この発明は、エレベータホールの乗降部に設けられるエレベータのドア装置に関する。
【背景技術】
【０００２】
建屋のエレベータホールと昇降路との間の壁面には、エレベータに対する乗降部としての開口が形成され、この開口に出入口部材としての三方枠および敷居が取り付けられている。そして、三方枠に対向して前記敷居の上にドアパネルが設置され、このドアパネルにより前記乗降部が開閉される。このドアパネルは、昇降路内を昇降するかごが当該エレベータホールに着床する際に開き、そのかごが当該エレベータホールから離れる際に閉じる。
【０００３】
ところで、ドアパネルと三方枠や敷居との間には僅かな隙間があり、このためエレベータホールで火災が発生した際に、その煙が前記隙間を通して昇降路内に流入し、昇降路が煙を上昇させる煙突として働き、火勢を強めてしまう恐れがある。
【０００４】
そこで、従来においては、三方枠の前方側に、火災発生時に格納状態から展開してドアパネルを含む三方枠の前面側全体を覆うスクリーンやシャッターを設け、このスクリーンやシャッターでエレベータホール側から昇降路内への煙の流入を防止する遮煙設備が設けられることが多くなってきている。
【発明の開示】
【発明が解決しようとする課題】
【０００５】
しかしながら、火災発生時にスクリーンやシャッターを格納状態から展開させて三方枠の前面側全体を覆うような遮煙設備では、動作に時間がかかり、昇降路内への煙の流入を速やかに遮断することが困難であるばかりでなく、その煙の流入を遮断する性能も低い。そして、スクリーンやシャッターを取り付けるための柱部材や格納するための格納装置を三方枠の前面側に設ける必要があり、このためエレベータホールのスペースを狭め、また美観を損ね、さらにコストも嵩んでしまう。
【０００６】
一方、火災の鎮火後におけるエレベータの復旧時には、ドア装置の点検とは別に遮煙設備を点検し、スクリーンやシャッターを元の位置に戻す復旧作業が必要となり、このため作業に手間がかかり、復旧が遅れてしまうという問題がある。
【０００７】
この発明はこのような点に着目してなされたもので、その目的とするところは、スクリーンやシャッターのような別個の遮煙設備を要することなく、安価にかつエレベータホールのスペースを狭めることなく、ドア装置自体で火災発生時にエレベータ乗降部の隙間を的確に密閉して遮煙することができ、さらに火災鎮火後の復旧も速やかに能率よく達成することができるエレベータのドア装置を提供することにある。
【課題を解決するための手段】
【０００８】
請求項１の発明は、建屋のエレベータホールと昇降路との間の乗降部に設けられた出入口部材と、この出入口部材に近接して配置されて前記乗降部を開閉するドアパネルとを備え、前記ドアパネルが、パネル本体と、このパネル本体の表面に接離可能に設けられた表面パネルと、この表面パネルを前記パネル本体の表面に係止する係止手段と、火災の発生に応じて前記係止手段による前記表面パネルの係止を解除するとともに、その表面パネルを前記パネル本体の表面から離間する方向に移動させて前記出入口部材に接触させ、その接触で前記出入口部材と前記ドアパネルとの間の隙間を密閉する表面パネル移動手段とを有することを特徴としている。
【０００９】
請求項２の発明は、前記出入口部材が、門形の三方枠と、この三方枠の背面側下部に設けられたドアパネルガイド用の敷居とを有し、前記表面パネルが前記パネル本体の表面から離間する方向に移動した際に、その表面パネルが前記三方枠の背面と前記敷居の上面とにそれぞれ接触することを特徴としている。
【００１０】
請求項３の発明は、前記表面パネルが、前記三方枠の背面と前記敷居の上面とにそれぞれ弾性材からなるパッキングを介して接触することを特徴としている。
【００１１】
請求項４の発明は、前記表面パネルが前記出入口部材に接触する状態からその表面パネルを前記パネル本体に接触する当初の状態に復帰させる復旧作業を、前記エレベータホール側からでも昇降路側からでも行なうことが可能となっていることを特徴としている。
【００１２】
請求項５の発明は、前記ドアパネルを戸開方向に移動させる動作により前記復旧作業を達成することが可能となっていることを特徴としている。
【発明の効果】
【００１３】
この発明によれば、スクリーンやシャッターのような別個の遮煙設備を要することなく、安価にかつエレベータホールのスペースを狭めることなく、ドア装置自体で火災発生時にエレベータ乗降部の隙間を的確に密閉して遮煙することができ、さらに火災鎮火後の復旧も速やかに能率よく達成することができる。
【発明を実施するための最良の形態】
【００１４】
以下、この発明の実施の形態について図面を参照して説明する。
【００１５】
図１ないし図１０には第１の実施形態を示してあり、エレベータ乗降部には、図１に示すようにエレベータホール１に面して三方枠３が取り付けられている。三方枠３は、互いに対向して配置する一対の側枠部４と、これら側枠部４の上部間に配置する幕板部５とから門形をなしている。
【００１６】
図２及び図３に示すように、三方枠３の上部には昇降路２に面してヘッダーケース９が取り付けられ、このヘッダーケース９の背面部にドアレール１０が水平に架設されている。三方枠３の背面側には、図４に示すように、エレベータ乗降部を開閉する例えば中央両開き式の一対のドアパネル１２が設けられている。
【００１７】
各ドアパネル１２は、矩形の枠形状をなすパネル本体１３と、このパネル本体１３の表面にその表面の全体を覆うように設けられた表面パネル１４とを備え、パネル本体１３の上部に図２に示すようにハンガー１５が取り付けられ、これらハンガー１５にドアローラ１６が回転自在に設けられている。そしてこれらドアローラ１６が前記ドアレール１０の上に転動自在に懸架され、これにより前記各ドアパネル１２がドアレール１０に沿って三方枠３の左右外方の戸袋側と三方枠３の内方の戸当り側とに移動し、この移動でエレベータ乗降部が開閉されるようになっている。なお、図３においては、ハンガー１５及びドアローラ１６を省略してある。
【００１８】
エレベータ乗降部の床の縁部には、その床面と面一に敷居１９が取り付けられている。この敷居１９は、昇降路２側に突出して左右方向に延びるように水平に支持され、その上面にガイド溝２０が形成されている。
【００１９】
各ドアパネル１２におけるパネル本体１３の下部にはガイドシュー２２が取り付けられ、これらガイドシュー２２が前記敷居１９のガイド溝２０内に摺動自在に嵌合され、これにより各ドアパネル１２が敷居１９に沿って移動するようにガイドされる。
【００２０】
各ドアパネル１２におけるパネル本体１３の内部には縦ロッド２４が上下動可能に設けられ、これら縦ロッド２４は上部がパネル本体１３の上面からその上方に突出し、その突出端部にローラ２５が回転自在に取り付けられている。
【００２１】
ヘッダーケース９の背面部にはガイド部材２６が各ドアパネル１２に対応して設けられている。これらガイド部材２６は、ドアパネル１２の戸開方向に向って斜めに傾斜する傾斜部２６ａと、この傾斜部２６ａから連続してドアパネル１２の戸開方向に水平に延びる水平部２６ｂとを有している。そして、ドアパネル１２が戸閉する通常時には、前記縦ロッド２４の上端部のローラ２５が前記ガイド部材２６の傾斜部２６ａの下方に配置してその傾斜部２６ａと対向する状態にある。
【００２２】
前記縦ロッド２４の上下部には横ロッド２７が取り付けられ、これら横ロッド２７と前記表面パネル１４の裏面との間にリンクレバー２８が掛け渡されている。各リンクレバー２８はその中間部がパネル本体１３に取り付けられた支持ピン２９を介して上下方向に回動自在に支持されている。
【００２３】
支持ピン２９の一端側の端部は前記横ロッド２７に回動自在に枢着され、他端側の端部は前記表面パネル１４の裏面に回動自在に枢着されている。そして各リンクレバー２８が支持ピン２９を中心に上下方向に回動することにより、前記表面パネル１４がパネル本体１３の表面に対して接離するようになっている。
【００２４】
パネル本体１３の表面には複数の電磁石３２が設けられている。これら電磁石３２は、エレベータホール１に設けられた火災感知手段としての煙感知器３３に配線３４を介して電気的に接続されている。
【００２５】
また、パネル本体１３と表面パネル１４との間にはスプリング３１が設けられ、このスプリング３１により表面パネル１４がパネル本体１３から離間する方向に弾性的に付勢されている。そして通常時には、前記電磁石３２により表面パネル１４が磁気的に吸引されて前記スプリング３１に抗してパネル本体１３の表面に接合する状態に保たれている。
【００２６】
前記表面パネル１４と対向する三方枠３の背面側周縁には、耐熱性を有するゴム等の弾性材からなるパッキング３６が取り付けられている。
【００２７】
前記表面パネル１４は、パネル本体１３の表面に接合する状態のもとでは、その下端縁が敷居１９の上面から離間している。そしてその表面パネル１４の下端縁には耐熱性を有するゴム等の弾性材からなるパッキング３７が取り付けられている。
【００２８】
各表面パネル１４の戸当り側縁部には、図４及び図５に示すようにほぼ直角に折曲してパネル本体１３の戸当り側の端面に対向する戸当り片３９が一体的に形成され、これら戸当り片３９の外面にそれぞれ耐熱性を有するゴム等の弾性材からなるクッション４０，４１が取り付けられている。そして通常時には、これらクッション４０，４１が互に突き当って密着し、この密着でドアパネル１２の戸当り間が気密的に密閉されている。
【００２９】
各パネル本体１３の戸袋側端面には、図４及び図６に示すように、それぞれピン４３を支点にして回動する係止レバー４４が設けられている。これら係止レバー４４は先端部に係止爪４５を一体に有し、これら係止爪４５がパネル本体１３の表面に接合している表面パネル１４の戸袋側縁部に係合し、この係合で表面パネル１４の戸袋側縁部がパネル本体１３に係止されている。なお、係止レバー４４は係止爪４５が表面パネル１４の縁部に係合する回動方向に図６に示すスプリング４６を介して弾性的に付勢されている。
【００３０】
各パネル本体１３の内部には、図４に示すように係脱ロッド４８が水平に設けられている。これら係脱ロッド４８は水平方向に移動自在に支持されているとともに、付勢手段としてのスプリング４９を介して戸当り側に弾性的に付勢されている。また、各パネル本体１３の内部には係脱ロッド４８を前記スプリング４９に抗して戸袋側に移動させることが可能な電磁石５０が設けられ、これら電磁石５０が前記煙感知器３３に配線５１を介して電気的に接続されている。
【００３１】
図４及び図５に示すように、各係脱ロッド４８の戸当り側の端部には係合体５３が設けられ、また前記戸当り片３９の裏面には係合板５４が取り付けられ、これら係合板５４に係合孔５５が形成されている。そして前記係合体５３がパネル本体１３の戸当り側端面を貫通して前記係合孔５５に係合し、この係合により表面パネル１４の戸当り側端部がパネル本体１３に係止されている。また、各係脱ロッド４８の戸袋側の端部は、パネル本体１３の戸当り側の端面を貫通して前記係止レバー４４に対向している。
【００３２】
次に、作用について説明する。
【００３３】
通常時には、電磁石３２が励磁され、電磁石５０が消磁されている。そして図３及び図４に示すように、各ドアパネル１２の表面パネル１４と三方枠３の背面及び敷居１９の上面との間には僅かな隙間が確保され、これにより各ドアパネル１２の開閉動作が可能となっている。
【００３４】
ここで、火災が発生し、その煙をエレベータホール１の煙感知器３３が感知すると、その信号に基づいて電磁石３２が消磁され、電磁石５０が励磁される。電磁石５０の励磁に応じてその磁気吸引力により係脱ロッド４８が図７に示すようにスプリング４９に抗して戸袋側に移動し、係合体５３と係合孔５５との係合が外れるとともに、係止レバー４４が係脱ロッド４８で押されてピン４３を支点にスプリング４６に抗して回動し、その係止爪４５が表面パネル１４の縁部から外れ、これによりパネル本体１３に対する表面パネル１４の係止が解除される。
【００３５】
この係止の解除に応じて、図８に示すように表面パネル１４の重量及びスプリング３１の付勢力でリンクレバー２８が支持ピン２９を支点に反時計方向に回動し、この回動で表面パネル１４がパネル本体１３の表面から離間する方向に移動しながら下方に移動し、また縦ロッド２４が上方に移動する。そして、図９に示すように、縦ロッド２４の上端部のローラ２５がガイド部材２６の傾斜部２６ａに接触する。
【００３６】
表面パネル１４がパネル本体１３の表面から離間する方向に移動することによりこの表面パネル１４の表面の上部及び側部が三方枠３の背面にパッキング３６を介して接触し、また表面パネル１４が下方に移動することによりこの表面パネル１４の下端縁がパッキング３７を介して敷居１９の上面に接触し、これによりドアパネル１２と三方枠３及び敷居１９との間の隙間が密閉され、エレベータホール１から昇降路２に通じる空気の流通路が遮断される。表面パネル１４は自重及びスプリング３１の付勢力で三方枠３の背面及び敷居１９の上面にパッキング３６，３７を介して強く圧着し、このため前記隙間が的確に密閉される。
【００３７】
このように、火災発生時には、各ドアパネル１２と三方枠３及び敷居１９との間の隙間が密閉されて防火区画が構成され、このため火災による煙がエレベータホール１から昇降路２内に流入するようなことがなく、これにより昇降路２の煙突化を防止して火災の発展を抑えることができ、また他の階のフロアへの煙の拡散を防止することができる。
【００３８】
次に、火災が鎮火し、エレベータの運行を復旧する際の作業手順について説明する。
【００３９】
復旧作業は、エレベータホール１側からか、あるいは昇降路２側から行なうことができる。エレベータホール１側から復旧作業を行なう場合には、まず消磁状態の電磁石３２を励磁し、励磁状態の電磁石５０を消磁する。
【００４０】
電磁石５０の消磁により係脱ロッド４８がスプリング４９の付勢力でパネル本体１３の戸当り側に移動し、係合体５３がパネル本体１３の戸当り側端面から突出して表面パネル１４の係合板５４の係合孔５５と係合可能な係合待機位置に配置し、また係脱ロッド４８の戸当り側への移動で係止レバー４４がスプリング４６の付勢力で回動してその係止爪４５が表面パネル１４の縁部と係合可能な係合待機位置に配置する。
【００４１】
この後、エレベータホール１側からドアパネル１２の表面パネル１４をその自重及びスプリング３１の付勢力に抗して昇降路２側に手作業で押し込む。この押し込みによりリンクレバー２８が図８における時計方向に回動し、表面パネル１４が上方に移動しながらパネル本体１３の表面に近寄るとともに、その押し込みの力及び前記電磁石３２の磁気吸引力で表面パネル１４がパネル本体１３の表面に接触して合致し、表面パネル１４と三方枠３及び敷居１９との間に所定の隙間が確保される。
【００４２】
この際、表面パネル１４の戸当り側の係合板５４の係合孔５５が前記係脱ロッド４８の係合体５３に係合するとともに、表面パネル１４の戸袋側の縁部が係止レバー４４の係止爪４５に係合し、これにより表面パネル１４がパネル本体１３の表面に係止され、当初の通常時の状態に復帰し、エレベータの運行が可能となる。
【００４３】
表面パネル１４は、電磁石３２の磁気吸引力と併せて、係合板５４の係合孔５５と係脱ロッド４８の係合体５３との係合、及び戸袋側の縁部と係止レバー４４の係止爪４５との係合によりパネル本体１３の表面に係止される。したがって、何らかの原因で前記電磁石３２の通電が切れて消磁したとしても、係合板５４の係合孔５５と係脱ロッド４８の係合体５３との係合、及び戸袋側の縁部と係止レバー４４の係止爪４５との係合により表面パネル１４はそのままパネル本体１３の表面に係止され、パネル本体１３の表面から不用意に離脱するようなことがない。
【００４４】
一方、昇降路２側から復旧作業を行なう場合には、まず消磁状態の電磁石３２を励磁し、励磁状態の電磁石５０を消磁する。これにより前述の場合と同様に、係脱ロッド４８の係合体５３が表面パネル１４の係合板５４の係合孔５５と係合可能な係合待機位置に配置し、また係止レバー４４がスプリング３１の付勢力で回動してその係止爪４５が表面パネル１４の縁部と係合可能な係合待機位置に配置する。
【００４５】
この後、昇降路２側から図１０に示すようにドアパネル１２を手作業で開いて戸袋側に一定距離だけ移動させる。この操作により、縦ロッド２４の上端部のローラ２５が縦ロッド２４と一体的にガイド部材２６の傾斜部２６ａに沿って斜め下方、すなわち鎖線の状態から実線の状態に移動する。
【００４６】
そして縦ロッド２４の下方への移動により、リンクレバー２８が図８における時計方向に回動し、表面パネル１４が上方に移動しながらパネル本体１３の表面に近寄るとともに、その押し込みの力及び前記電磁石３２の磁気吸引力で表面パネル１４がパネル本体１３の表面に接触して合致し、表面パネル１４と三方枠３及び敷居１９との間に所定の隙間が確保される。
【００４７】
この際、表面パネル１４の戸当り側の係合板５４の係合孔５５が前記係脱ロッド４８の係合体５３に係合するとともに、表面パネル１４の戸袋側の縁部が係止レバー４４の係止爪４５に係合し、これにより表面パネル１４がパネル本体１３の表面に係止される。この後、ドアパネル１２を手作業で戸当り側に移動して閉じる。これにより、ドアパネル１２が当初の通常時の状態に復帰し、エレベータの運行が可能となる。
【００４８】
図１１乃至図１６には第２の実施形態を示してあり、この第２の実施形態は、一対のドアパネル１２ａ，１２ｂが前後に位置をずらして配置され、これらドアパネル１２ａ，１２ｂが同じ方向に異なる速度で移動してエレベータ乗降部を開閉する片開き式のドア装置の場合である。
【００４９】
図１１は一対のドアパネル１２ａ，１２ｂが前後に互い違いに配置してエレベータ乗降部を閉鎖する戸閉時の状態を示してあり、この状態から戸開時にドアパネル１２ａ，１２ｂが共に三方枠３の一側方の戸袋側に向って移動し、この移動でエレベータ乗降部が開放される。
【００５０】
この際、一方のドアパネル１２ａは他方のドアパネル１２ｂのほぼ２倍の速度で移動し、これにより一対のドアパネル１２ａ，１２ｂが戸袋内において前後に重なる状態に収納される。また、戸閉時には、一方のドアパネル１２ａが他方のドアパネル１２ｂのほぼ２倍の速度で戸袋の反対側の戸当り側に向って移動し、この移動でエレベータ乗降部が閉鎖される。
【００５１】
三方枠３の一方の側枠部４の前後方向の中間部は、一方のドアパネル１２ａの戸当り側端面が突き当る段違い状の戸当り部４ａとなっており、また三方枠３の幕板部５の左右方向の中間部は他方のドアパネル１２ｂの戸当り側端面が突き当る段違い状の戸当り部５ａとなっている。
【００５２】
各ドアパネル１２ａ，１２ｂは、前記第１の実施形態の場合と同様に矩形の枠形状をなすパネル本体１３と、このパネル本体１３の表面にその表面の全体を覆うように離脱可能に設けられた表面パネル１４とを備え、図１２及び図１３に示すようにパネル本体１３の上部にハンガー１５が取り付けられ、これらハンガー１５にドアローラ１６が回転自在に設けられている。
【００５３】
そしてこの実施形態の場合には、ヘッダーケース９の背面部に長さの長いドアレール１０ａと、長さの短いドアレール１０ｂとが前後に位置をずらして架設され、その一方の長さの長いドアレール１０ａに前記一方のドアパネル１２ａがドアローラ１６を介して移動自在に懸架され、他方の長さの短いドアレール１０ｂに前記他方のドアパネル１２ｂがドアローラ１６を介して移動自在に懸架されている。なお、図１３においては、ハンガー１５及びドアローラ１６を省略してある。
【００５４】
エレベータ乗降部の床の縁部には、その床面と面一に敷居１９が取り付けられている。この敷居１９は、昇降路２側に突出して左右方向に延びるように水平に支持され、その上面に一対のガイド溝２０ａ，２０ｂが平行に形成されている。
【００５５】
各ドアパネル１２ａ，１２ｂにおけるパネル本体１３の下部にはガイドシュー２２が取り付けられ、一方のドアパネル１２ａのガイドシュー２２が前記敷居１９の一方のガイド溝２０ａ内に摺動自在に嵌合され、他方のドアパネル１２ｂのガイドシュー２２が前記敷居１９の他方のガイド溝２０ｂ内に摺動自在に嵌合されている。
【００５６】
各ドアパネル１２ａ，１２ｂにおけるパネル本体１３の内部には、第１の実施形態の場合と同様に縦ロッド２４が上下動可能に設けられ、これら縦ロッド２４は上部がパネル本体１３の上面からその上方に突出し、その突出端部にローラ２５が回転自在に取り付けられている。
【００５７】
ヘッダーケース９の背面部にはガイド部材２６が各ドアパネル１２ａ，１２ｂに対応して設けられ、ドアパネル１２ａ，１２ｂが戸閉する通常時には、前記縦ロッド２４の上端部のローラ２５が前記ガイド部材２６の傾斜部２６ａの下方に配置してその傾斜部２６ａと対向する状態にある。
【００５８】
縦ロッド２４には横ロッド２７が取り付けられ、この横ロッド２７と前記表面パネル１４の裏面との間にリンクレバー２８が掛け渡されている。各リンクレバー２８はその中間部がパネル本体１３に取り付けられた支持ピン２９を介して上下方向に回動自在に支持されている。支持ピン２９の一端側の端部は前記横ロッド２７に回動自在に枢着され、他端側の端部は前記表面パネル１４の裏面に回動自在に枢着されている。そして各リンクレバー２８が支持ピン２９を中心に上下方向に回動することにより、前記表面パネル１４がパネル本体１３の表面に対して接離するようになっている。
【００５９】
パネル本体１３の表面には複数の電磁石３２が設けられている。これら電磁石３２は、エレベータホール１に設けられた火災感知手段としての煙感知器３３に電気的に接続されている。
【００６０】
また、パネル本体１３と表面パネル１４との間にはスプリング３１が設けられ、このスプリング３１により表面パネル１４がパネル本体１３から離間する方向に弾性的に付勢されている。そして通常時には、前記電磁石３２により表面パネル１４が磁気的に吸引されて前記スプリング３１に抗してパネル本体１３の表面に接合する状態に保たれている。
【００６１】
前記三方枠３の背面側周縁には前記表面パネル１４と対向する部分に耐熱性を有するゴム等の弾性材からなるパッキング３６が取り付けられている。
【００６２】
前記表面パネル１４は、パネル本体１３の表面に接合する状態のもとでは、その下端縁が敷居１９の上面から離間している。そしてその表面パネル１４の下端縁には耐熱性を有するゴム等の弾性材からなるパッキング３７が取り付けられている。
【００６３】
各表面パネル１４の戸当り側縁部には、図１１に示すようにほぼ直角に折曲してパネル本体１３の戸当り側の端面に対向する戸当り片３９が一体的に形成されている。
【００６４】
各パネル本体１３の戸袋側端面には、それぞれピン４３を支点にして回動する係止レバー４４が設けられている。これら係止レバー４４は先端部に係止爪４５を一体に有し、これら係止爪４５がパネル本体１３の表面に接合している表面パネル１４の戸袋側縁部に係合し、この係合で表面パネル１４の戸袋側縁部がパネル本体１３に係止されている。なお、係止レバー４４は係止爪４５が表面パネル１４の縁部に係合する回動方向にスプリング４６を介して弾性的に付勢されている。
【００６５】
各パネル本体１３の内部には、係脱ロッド４８が水平に設けられている。これら係脱ロッド４８は水平方向に移動自在に支持されているとともに、スプリング４９を介して戸当り側に弾性的に付勢されている。また、各パネル本体１３の内部には係脱ロッド４８を前記スプリング４９に抗して戸袋側に移動させることが可能な電磁石５０が設けられ、これら電磁石５０が前記煙感知器３３に電気的に接続されている。
【００６６】
各係脱ロッド４８の戸当り側の端部には係合体５３が設けられ、また前記戸当り片３９の裏面には係合板５４が取り付けられ、これら係合板５４に係合孔５５が形成されている。そして前記係合体５３がパネル本体１３の戸当り側端面を貫通して前記係合孔５５に係合し、この係合により表面パネル１４の戸当り側端部がパネル本体１３に係止されている。また、各係脱ロッド４８の戸袋側の端部は、パネル本体１３の戸当り側の端面を貫通して前記係止レバー４４に対向している。
【００６７】
次に、作用について説明する。
【００６８】
通常時には、各ドアパネル１２ａ，１２ｂの電磁石３２が励磁され、電磁石５０が消磁された状態にある。そして、表面パネル１４と三方枠３の背面及び敷居１９の上面との間に僅かな隙間が確保され、これにより各ドアパネル１２の開閉動作が可能となっている。
【００６９】
ここで、火災が発生し、その煙をエレベータホール１の煙感知器３３が感知すると、その信号に基づいて各ドアパネル１２ａ，１２ｂの電磁石３２が消磁され、電磁石５０が励磁される。電磁石５０の励磁に応じてその磁気吸引力により各ドアパネル１２ａ，１２ｂの係脱ロッド４８が図１４に示すようにスプリング４９に抗して戸袋側に移動し、係合体５３と係合孔５５との係合が外れるとともに、係止レバー４４が係脱ロッド４８で押されてピン４３を支点にスプリング４６に抗して回動し、その係止爪４５が表面パネル１４の縁部から外れ、これによりパネル本体１３に対する表面パネル１４の係止が解除される。
【００７０】
この係止の解除に応じて、図１５に示すように表面パネル１４の重量及びスプリング３１の付勢力でリンクレバー２８が支持ピン２９を支点に反時計方向に回動し、この回動で表面パネル１４がパネル本体１３の表面から離間する方向に移動しながら下方に移動し、また縦ロッド２４が上方に移動する。そして、縦ロッド２４の上端部のローラ２５がガイド部材２６の傾斜部２６ａに接触する。
【００７１】
このように、各ドアパネル１２ａ，１２ｂの表面パネル１４がパネル本体１３の表面から離間する方向に移動するが、一方のドアパネル１２ａの表面パネル１４にあっては、その表面の上部及び戸当り側の側部が三方枠３の図１４における左側のほぼ半部の背面にパッキング３６を介して密着し、他方のドアパネル１２ｂの表面パネル１４にあっては、その表面の上部及び戸袋側の側部が三方枠３の図１４における右側のほぼ半部の背面にパッキング３６を介して密着し、これによりドアパネル１２ａ，１２ｂと三方枠３の背面との間の隙間が密閉される。
【００７２】
さらに、一方のドアパネル１２ａの表面パネル１４の戸袋側の側部が他方のドアパネル１２ｂにおけるパネル本体１３の背面に密着し、これにより一方のドアパネル１２ａと他方のドアパネル１２とが重なる部分の隙間が密閉される。
【００７３】
また、各ドアパネル１２ａ，１２ｂの表面パネル１４が下方に移動することにより、図１５に示すように表面パネル１４の下端縁がパッキング３７を介して敷居１９の上面に密着し、これにより各ドアパネル１２ａ，１２ｂと敷居１９との間の隙間が密閉される。
【００７４】
このような各隙間の密閉により、エレベータホール１から昇降路２に通じる空気の流通路が遮断され、したがって火災による煙がエレベータホール１から昇降路２内に流入するようなことがなく、これにより昇降路２の煙突化を防止して火災の発展を抑えることができ、また他の階のフロアへの煙の拡散を防止することができる。
【００７５】
火災鎮火後にエレベータホール１側から復旧作業を行なう場合には、まず消磁状態の電磁石３２を励磁し、励磁状態の電磁石５０を消磁する。電磁石５０の消磁により各ドアパネル１２ａ，１２ｂの係脱ロッド４８がスプリング４９の付勢力でパネル本体１３の戸袋側に移動し、係合体５３がパネル本体１３の戸当り側端面から突出して表面パネル１４の係合板５４の係合孔５５と係合可能な係合待機位置に配置し、また係脱ロッド４８の戸袋側への移動で係止レバー４４がスプリング４６の付勢力で回動してその係止爪４５が表面パネル１４の縁部と係合可能な係合待機位置に配置する。
【００７６】
この後、エレベータホール１側からドアパネル１２ａ，１２ｂの表面パネル１４をその自重及びスプリング３１の付勢力に抗して昇降路２側に手作業で押し込む。この押し込みによりリンクレバー２８が図１５における時計方向に回動し、表面パネル１４が上方に移動しながらパネル本体１３の表面に近寄るとともに、その押し込みの力及び前記電磁石３２の磁気吸引力で表面パネル１４がパネル本体１３の表面に接触して合致し、表面パネル１４と三方枠３及び敷居１９との間に所定の隙間が確保される。
【００７７】
この際、各ドアパネル１２ａ，１２ｂの表面パネル１４の戸当り側の係合板５４の係合孔５５が前記係脱ロッド４８の係合体５３に係合するとともに、表面パネル１４の戸袋側の縁部が係止レバー４４の係止爪４５に係合し、これにより表面パネル１４がパネル本体１３の表面に係止され、当初の通常時の状態に復帰し、エレベータの運行が可能となる。
【００７８】
各ドアパネル１２ａ，１２ｂの表面パネル１４は、電磁石３２の磁気吸引力と併せて、係合板５４の係合孔５５と係脱ロッド４８の係合体５３との係合、及び戸袋側の縁部と係止レバー４４の係止爪４５との係合によりパネル本体１３の表面に係止される。したがって、何らかの原因で前記電磁石３２の通電が切れて消磁したとしても、係合板５４の係合孔５５と係脱ロッド４８の係合体５３との係合、及び戸袋側の縁部と係止レバー４４の係止爪４５との係合により表面パネル１４はそのままパネル本体１３の表面に係止され、パネル本体１３の表面から不用意に離脱するようなことがない。
【００７９】
一方、昇降路２側から復旧作業を行なう場合には、まず消磁状態の電磁石３２を励磁し、励磁状態の電磁石５０を消磁する。これにより前述の場合と同様に、係脱ロッド４８の係合体５３が表面パネル１４の係合板５４の係合孔５５と係合可能な係合待機位置に配置し、また係止レバー４４がスプリング４６の付勢力で回動してその係止爪４５が表面パネル１４の縁部と係合可能な係合待機位置に配置する。
【００８０】
この後、昇降路２側から各ドアパネル１２ａ，１２ｂを手作業で戸袋側に開いて図１６に示すように一定距離だけ移動させる。この操作により、縦ロッド２４の上端部のローラ２５がガイド部材２６の傾斜部２６ａに沿って縦ロッド２４と一体に斜め下方に移動する。
【００８１】
縦ロッド２４の下方への移動により、リンクレバー２８が図１５における時計方向に回動し、表面パネル１４が上方に移動しながらパネル本体１３の表面に近寄るとともに、その押し込みの力及び前記電磁石３２の磁気吸引力で表面パネル１４がパネル本体１３の表面に接触して合致し、表面パネル１４と三方枠３及び敷居１９との間に所定の隙間が確保される。
【００８２】
この際、表面パネル１４の戸当り側の係合板５４の係合孔５５が前記係脱ロッド４８の係合体５３に係合するとともに、表面パネル１４の戸袋側の縁部が係止レバー４４の係止爪４５に係合し、これにより表面パネル１４がパネル本体１３の表面に係止される。この後、ドアパネル１２ａ，１２ｂを手作業で戸当り側に移動して閉じる。これにより、ドアパネル１２ａ，１２ｂが当初の通常時の状態に復帰し、エレベータの運行が可能となる。
【００８３】
このようにこの発明においては、スクリーンやシャッターのような別途の遮煙設備をエレベータホール１に設置することなく、エレベータホール１のドア装置自体で防火区画を構成して遮煙機能を果たすことができ、このためエレベータホール１のスペースを有効に活用でき、レイアウトの自由度も広がり、さらにスクリーンやシャッターなどの別途の遮煙設備が不要となるから、コストダウンを図ることができる。
【００８４】
また、この発明では、スクリーンやシャッターのような遮煙設備と異なり、ドアパネル１２，１２ａ，１２ｂの表面パネル１４が三方枠３及び敷居１９に直接接触して隙間を密閉する構造であるから、高い遮煙性能が得られる。
【００８５】
ドア装置とは別にスクリーンやシャッターなどの遮煙設備を備える場合、火災の鎮火後におけるエレベータの復旧時には、そのドア装置を点検して復旧する作業と、遮煙設備を点検して復旧する作業との二系統の作業が必要となるが、この発明ではドア装置を点検して表面パネル１４をパネル本体１３の表面に合致させる一連の作業のみで復旧することができ、このためエレベータの復旧を速やかに能率的に達成することができる。
【００８６】
なお、前記各実施形態においては、パネル本体１３に対して表面パネル１４を電磁石３２及び係止レバー４４を用いて係止するようにしたが、係止レバー４４のみで係止するような場合であってもよい。
【００８７】
また、前記各実施形態では、係止レバー４４を動作させる機構として、係脱ロッド４８、スプリング４９、電磁石５０を用いる構成としたが、例えば係止レバー４４をスプリングで係止解除方向に弾性的に付勢し、係止時にはロックピンで係止レバー４４を係止位置に保持し、非常時にそのロックピンを電磁石で移動させて係止レバー４４を係止解除方向に回動させることで表面パネル１４の係止を解除する構成とすることも可能である。
【００８８】
さらに、図１７に第３の実施形態として示すように、防犯上の観点からパネル本体１３の中央部に大きな開口１３ａを形成し、この開口１３ａに耐熱強化ガラス１７を取り付け、また表面パネル１４の中央部に大きな開口１４ａを形成し、この開口１４ａに耐熱強化ガラス１８を取り付けるようにしてもよい。
【００８９】
この場合、図１８に第４の実施形態として示すように、パネル本体１３の開口１３ａにはガラスを設けず、表面パネル１４の開口１４ａのみに耐熱強化ガラス１８を取り付けるようにしてもよい。
【図面の簡単な説明】
【００９０】
【図１】この発明の第１の実施形態を示し、エレベータの乗降部のドア装置をエレベータホール側から見た正面図。
【図２】前記ドア装置の昇降路側から見た一部の正面図。
【図３】図２中のＡ−Ａ線に沿う断面図。
【図４】前記ドア装置の平面視の断面図。
【図５】図４中のＢ部の拡大断面図。
【図６】図４中のＣ部の拡大断面図。
【図７】前記ドア装置の表面パネル動作時の状態を示す平面視の断面図。
【図８】前記ドア装置の表面パネル動作時の状態を示す側面視の断面図。
【図９】前記ドア装置の表面パネル動作時の状態を示す昇降路側から見た正面図。
【図１０】前記ドア装置の表面パネルを当初の位置に戻す復旧作業時の状態を示す昇降路側から見た正面図。
【図１１】この発明の第２の実施形態に係るドア装置を示す平面視の断面図。
【図１２】前記ドア装置の昇降路側から見た一部の正面図。
【図１３】前記ドア装置の側面視の断面図。
【図１４】前記ドア装置の表面パネル動作時の状態を示す平面視の断面図。
【図１５】前記ドア装置の表面パネル動作時の状態を示す側面視の断面図。
【図１６】前記ドア装置の表面パネルを当初の位置に戻す復旧作業時の状態を示す昇降路側から見た正面図。
【図１７】この発明の第３の実施形態に係るドア装置を示す側面視の断面図。
【図１８】この発明の第４の実施形態に係るドア装置を示す側面視の断面図。
【符号の説明】
【００９１】
１…エレベータホール
２…昇降路
３…三方枠
４…側枠部
５…幕板部
６…出入口
１０…ドアレール
１２，１２ａ，１２ｂ…ドアパネル
１３…パネル本体
１４…表面パネル
１６…ドアローラ
１９…敷居
２０…ガイド溝
２２…ガイドシュー
２４…縦ロッド
２５…ローラ
２６…ガイド部材
２７…横ロッド
２８…リンクレバー
２９…支持ピン
３１…スプリング
３２…電磁石
３３…煙感知器
３６…パッキング
３７…パッキング
４０…クッション
４１…クッション
４４…係止レバー
４６…スプリング
４８…係脱ロッド
４９…スプリング
５０…電磁石
５３…係合体
５４…係合板
５５…係合孔
【図１】
2005145591.tif 000003
【図２】
2005145591.tif 000004
【図３】
2005145591.tif 000005
【図４】
2005145591.tif 000006
【図５】
2005145591.tif 000007
【図６】
2005145591.tif 000008
【図７】
2005145591.tif 000009
【図８】
2005145591.tif 000010
【図９】
2005145591.tif 000011
【図１０】
2005145591.tif 000012
【図１１】
2005145591.tif 000013
【図１２】
2005145591.tif 000014
【図１３】
2005145591.tif 000015
【図１４】
2005145591.tif 000016
【図１５】
2005145591.tif 000017
【図１６】
2005145591.tif 000018
【図１７】
2005145591.tif 000019
【図１８】
2005145591.tif 000020